(57)【要約】【課題】  開封後の再封止を容易に且つ確実に行えるようにし、そして、内容物の取り出し後、蓋付き収容ケースや配送用梱包ケースとして有効に再利用できるようにした梱包ケースを得る。【解決手段】  展開状態において縦折れ線イ、ロ、ハを介して横方向に連接した正面パネル１と底面パネル２と背面パネル３と天面パネル４と、正面パネル１と背面パネル３の縦方向の両端部に横折れ線ニ、ホを介して連接した内側面パネル５，６と、底面パネル２と天面パネル４の縦方向の両端部に横折れ線ヘ、トを介して連接した外側面パネル７，８と、天面パネル４に縦折れ線チを介して連接した糊付けフラップ９とを有する梱包ケースにおいて、天面パネル４の両端部に連接した外側面パネル８には、横折れ線トとの間に非接着部１０が残るように糊代部１１を設け、非接着部１０には横折れ線トとの間に所定の間隔を空けて横折れ線トに沿って切断部１２を設け、正面パネル１には糊付けフラップ９と接着される接着部１４の下縁に沿って切断部１５を設けた。【選択図】  図１
2009083931.tif 000002
【特許請求の範囲】
【請求項１】
展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、
前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、前記天面パネルに連接された糊付けフラップと接着される接着部の下縁に沿ってミシン目又はスリットからなる切断部が設けられていることを特徴とする梱包ケース。
【請求項２】
前記正面パネルと内側面パネルを連接する横折れ線上で、前記天面パネルに連接された糊付けフラップと接着される接着部に接する横折れ線上に、ミシン目又はスリットからなる切断部が設けられていることを特徴とする請求項１に記載の梱包ケース。
【請求項３】
展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、
前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、開放側端縁に沿って間欠的に連続した凹部を形成する切り取り用ミシン目又はスリットからなる切断部が設けられ、前記天面パネルに連接された糊付けフラップと接着される前記正面パネルの接着部は、前記切断部によって囲まれた各凹部形成切り取り部上に設けられていることを特徴とする梱包ケース。
【請求項４】
前記各凹部形成切り取り部上に設定されている前記正面パネルの接着部は、前記正面パネルの開放側端縁に沿って、前記各凹部形成切り取り部上を横断するように帯状に設けられていることを特徴とする請求項３に記載の梱包ケース。
【請求項５】
前記正面パネルの開放側端縁に沿って設けられた切断部によって囲まれた各凹部形成切り取り部と、各凹部形成切り取り部間に存在する凸部の幅寸法は、凹部形成切り取り部幅：凸部幅＝２：１．５〜２：０．５であることを特徴とする請求項３または４に記載の梱包ケース。
【請求項６】
展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、
前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、開放側端縁に沿って間欠的に連続して中抜き部を形成する切り取り用ミシン目又はスリットからなる切断部が設けられ、前記天面パネルに連接された糊付けフラップと接着される前記正面パネルの接着部は、前記切断部によって囲まれた各中抜き部形成切り取り部上に設けられていることを特徴とする梱包ケース。
【請求項７】
前記各中抜き部形成切り取り部上に設定されている前記正面パネルの接着部は、前記正面パネルの開放側端縁に沿って、前記各中抜き部形成切り取り部上を横断するように帯状に設けられていることを特徴とする請求項６に記載の梱包ケース。
【請求項８】
前記正面パネルの開放側端縁に沿って設けられた切断部によって囲まれた各中抜き部形成切り取り部と、各中抜き部形成切り取り部間に存在する非切り取り部の幅寸法は、中抜き部形成切り取り部幅：非切り取り部幅＝２：１．５〜２：０．５であることを特徴とする請求項６または７に記載の梱包ケース。
【請求項９】
展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、
前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、開放側端縁に沿って間欠的に連続した凹部及び中抜き部を形成する切り取り用ミシン目又はスリットからなる切断部が設けられ、前記天面パネルに連接された糊付けフラップと接着される前記正面パネルの接着部は、前記切断部によって囲まれた各凹部形成切り取り部上及び各中抜き部形成切り取り部上に設けられていることを特徴とする梱包ケース。
【請求項１０】
前記各凹部形成切り取り部上及び各中抜き部形成切り取り部上に設けられている前記正面パネルの接着部は、前記正面パネルの開放側端縁に沿って、前記各凹部形成切り取り部上及び各中抜き部形成切り取り部上を横断するように帯状に設けられていることを特徴とする請求項９に記載の梱包ケース。
【請求項１１】
前記正面パネルの開放側端縁に沿って設けられた切断部によって囲まれた凹部形成切り取り部と中抜き部形成切り取り部の幅寸法と凹部形成切り取り部と中抜き部形成切り取り部間に存在する非切り取り部の幅寸法は、凹部形成切り取り部幅：中抜き部形成切り取り部幅：非切り取り部幅＝２：２：１．５〜２：２：０．５であることを特徴とする請求項９または１０に記載の梱包ケース。
【請求項１２】
前記正面パネルには、開放側端縁の中央位置に中央凹部を形成する切り取り用ミシン目又はスリットからなる切断部が設けられ、前記天面パネルに連接された糊付けフラップと接着される前記正面パネルの接着部は、前記切断部によって囲まれた中央凹部形成切り取り部上にも設けられていることを特徴とする請求項３，６または９に記載の梱包ケース。
【請求項１３】
前記糊付けフラップは、その先端縁部に所定の幅の非接着部が形成されていることを特徴とする請求項１〜１２のいずれか１に記載の梱包ケース。
【請求項１４】
展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、
前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記天面パネルに縦折れ線を介して連接された前記糊付けフラップには、前記横折れ線との間に所定の幅の非接着部が残るように糊代部が設けられ、該非接着部には前記横折れ線との間に所定の間隔を空けて前記横折れ線に沿って２本のミシン目又はカットテープからなる切断部が設けられていることを特徴とする梱包ケース。
【発明の詳細な説明】
【技術分野】
【０００１】
この発明は、複数冊のカットシート等を梱包するための梱包ケースに係るものであり、特に、開封と取り出しが容易で、開封後に再封止できる蓋付きの箱として再利用可能な梱包ケースに関するものである。
【背景技術】
【０００２】
複写紙、印刷用紙、転写用紙、感圧紙、プリンタ用紙等のカットシートは、一般に所定の枚数を単位として包装用紙で包装され冊に形成され、そして所定の冊を１単位としてダンボールや厚板紙製のケースに梱包されている。
【０００３】
かかるダンボールや厚板紙製の梱包ケースとして、ケース本体を形成する正面パネル、底面パネル、背面パネル、天面パネルに一巻きするように設けられたカットテープを剥がして、梱包されているカットシートの先端を露出させる開封手段を備えた梱包ケースが多く使用されている。
【０００４】
しかしながら、このような開封手段を備えた梱包ケースでは、縦置きにしないと開封することができず、また、一端開封すると梱包ケースは開口したままとなり、梱包ケース内への埃等の進入を防ぐことができず、梱包ケース内に残っているカットシートが汚れてしまうおそれがあり、また、カットシートを取り出したあとは、梱包ケースはゴミとして廃棄されるだけであり、省資源化といった面から問題があった。
【０００５】
そこで、これらの問題を解決する梱包ケースとして、横置きしたまま容易に開封することができ、また、開封した後に開口部を閉じることができるようにし、また、カットシートを取り出したあと、梱包ケースを蓋付き収納ケースとして再利用することを目的とする梱包ケースが提案されている（例えば、特許文献１参照。）。
【０００６】
この特許文献１で提案されている梱包ケースは、組立状態で、正面パネルまたは背面パネルのいずれかのパネルの面上と、天面パネルに連接する両側面パネルの上方とに、下方から上方に切込線からなる開封手段が設けられた構成となっており、前記切込線を切断して天面パネルを開くことにより、梱包ケースを横置きのまま開封することができ、また、開封した後に天面パネルを蓋として開口部を閉じることができ、また、カットシートを取り出したあと、梱包ケースを蓋付き収納ケースとして再利用できるものとしている。
【特許文献１】特開２００５−１０４５４８号公報
【発明の開示】
【発明が解決しようとする課題】
【０００７】
しかし、上記の特許文献１で提案されている梱包ケースは、開封後に天面パネルを蓋として開口部を閉じたとき、天面パネルを閉じた状態で止める手段がないため、閉じた状態に保つことができず、ケース本体と蓋となる天面パネルとの間に隙間ができ、この隙間からケース本体内へ埃等が入ってしまうといった問題があり、また、梱包ケースを開封したとき、正面パネルまたは背面パネルのいずれかのパネルの面上と、天面パネルに連接する両側面パネルの上方が、切断されて天面パネルと一体となって蓋を構成することになるので、ケース本体は大きく開口し、その分容積も少なくなり、またケースとしての強度が弱くなるので、蓋付き収容ケースとして再利用度は低く、実用的ではないといった問題がある。
【０００８】
本発明の目的は、開封後の再封止を容易に且つ確実に行えるようにし、そして、内容物の取り出し後、蓋付き収容ケースや配送用梱包ケースとして有効に再利用できるようにした梱包ケースを提供することにある。 
【課題を解決するための手段】
【０００９】
上記の目的を達成するために、請求項１に記載の発明は、展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、前記天面パネルに連接された糊付けフラップと接着される接着部の下縁に沿ってミシン目又はスリットからなる切断部が設けられていることを特徴とする。
【００１０】
請求項２に記載の発明は、請求項１に記載の、前記正面パネルと内側面パネルを連接する横折れ線上で、前記天面パネルに連接された糊付けフラップと接着される接着部に接する横折れ線上に、ミシン目又はスリットからなる切断部が設けられていることを特徴とする。
【００１１】
請求項３に記載の発明は、展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、開放側端縁に沿って間欠的に連続した凹部を形成する切り取り用ミシン目又はスリットからなる切断部が設けられ、前記天面パネルに連接された糊付けフラップと接着される前記正面パネルの接着部は、前記切断部によって囲まれた各凹部形成切り取り部上に設けられていることを特徴とする。
【００１２】
請求項４に記載の発明は、請求項３に記載の、前記各凹部形成切り取り部上に設定されている前記正面パネルの接着部は、前記正面パネルの開放側端縁に沿って、前記各凹部形成切り取り部上を横断するように帯状に設けられていることを特徴とする。
【００１３】
請求項５に記載の発明は、請求項３または４に記載の、前記正面パネルの開放側端縁に沿って設けられた切断部によって囲まれた各凹部形成切り取り部と、各凹部形成切り取り部間に存在する凸部の幅寸法は、凹部形成切り取り部幅：凸部幅＝２：１．５〜２：０．５であることを特徴とする。
【００１４】
請求項６に記載の発明は、展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、開放側端縁に沿って間欠的に連続して中抜き部を形成する切り取り用ミシン目又はスリットからなる切断部が設けられ、前記天面パネルに連接された糊付けフラップと接着される前記正面パネルの接着部は、前記切断部によって囲まれた各中抜き部形成切り取り部上に設けられていることを特徴とする。
【００１５】
請求項７に記載の発明は、請求項６に記載の、前記各中抜き部形成切り取り部上に設定されている前記正面パネルの接着部は、前記正面パネルの開放側端縁に沿って、前記各中抜き部形成切り取り部上を横断するように帯状に設けられていることを特徴とする。
【００１６】
請求項８に記載の発明は、請求項６または７に記載の、前記正面パネルの開放側端縁に沿って設けられた切断部によって囲まれた各中抜き部形成切り取り部と、各中抜き部形成切り取り部間に存在する非切り取り部の幅寸法は、中抜き部形成切り取り部幅：非切り取り部幅＝２：１．５〜２：０．５であることを特徴とする。
【００１７】
請求項９に記載の発明は、展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、開放側端縁に沿って間欠的に連続した凹部及び中抜き部を形成する切り取り用ミシン目又はスリットからなる切断部が設けられ、前記天面パネルに連接された糊付けフラップと接着される前記正面パネルの接着部は、前記切断部によって囲まれた各凹部形成切り取り部上及び各中抜き部形成切り取り部上に設けられていることを特徴とする。
【００１８】
請求項１０に記載の発明は、請求項９に記載の、前記各凹部形成切り取り部上及び各中抜き部形成切り取り部上に設けられている前記正面パネルの接着部は、前記正面パネルの開放側端縁に沿って、前記各凹部形成切り取り部上及び各中抜き部形成切り取り部上を横断するように帯状に設けられていることを特徴とする。
【００１９】
請求項１１に記載の発明は、請求項９または１０に記載の、前記正面パネルの開放側端縁に沿って設けられた切断部によって囲まれた凹部形成切り取り部と中抜き部形成切り取り部の幅寸法と凹部形成切り取り部と中抜き部形成切り取り部間に存在する非切り取り部の幅寸法は、凹部形成切り取り部幅：中抜き部形成切り取り部幅：非切り取り部幅＝２：２：１．５〜２：２：０．５であることを特徴とする。
【００２０】
請求項１２に記載の発明は、請求項３，６または９に記載の、前記正面パネルには、開放側端縁の中央位置に中央凹部を形成する切り取り用ミシン目又はスリットからなる切断部が設けられ、前記天面パネルに連接された糊付けフラップと接着される前記正面パネルの接着部は、前記切断部によって囲まれた中央凹部形成切り取り部上にも設けられていることを特徴とする。
【００２１】
請求項１３に記載の発明は、請求項１〜１２のいずれか１に記載の、前記糊付けフラップは、その先端縁部に所定の幅の非接着部が形成されていることを特徴とする。
【００２２】
請求項１４に記載の発明は、展開状態において縦折れ線を介して横方向に連接された正面パネルと底面パネルと背面パネルと天面パネルと、前記正面パネルと前記背面パネルのそれぞれ縦方向の両端部に横折れ線を介して連接された内側面パネルと、前記底面パネルと前記天面パネルのそれぞれ縦方向の両端部に横折れ線を介して連接され前記内側面パネルの外側に重ねられて接着される外側面パネルと、前記天面パネルに縦折れ線を介して連接され前記正面パネルに接着される糊付けフラップとを有する梱包ケースにおいて、前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記天面パネルに縦折れ線を介して連接された前記糊付けフラップには、前記横折れ線との間に所定の幅の非接着部が残るように糊代部が設けられ、該非接着部には前記横折れ線との間に所定の間隔を空けて前記横折れ線に沿って２本のミシン目又はカットテープからなる切断部が設けられていることを特徴とする。
【発明の効果】
【００２３】
請求項１に記載の梱包ケースによれば、前記天面パネルの両側に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、前記天面パネルに連接された糊付けフラップと接着される接着部の下縁に沿ってミシン目又はスリットからなる切断部が設けられているので、開封に際し、前記天面パネルの両端部に連接された外側面パネルの非接着部に設けられている切断部を切断することにより外側面パネルが内側面パネルとの接着部から切り離され、前記正面パネルを天面パネルに連接された糊付けフラップと接着される接着部の下縁に沿って設けられた切断部を切断することにより、前記正面パネルから糊付けフラップと接着される接着部が切り取られるので前記天面パネルの三方が開放され、天面パネルは背面パネルとの間の縦折れ線をヒンジとして開き、梱包ケースが開封される。
【００２４】
そして、前記天面パネルには、その両端部に外側面パネルの残片があり、そして糊付けフラップを連接した端部には前記正面パネルの切断片が接着している糊付けフラップが残っているので、開封した梱包ケースを再封止する場合、前記天面パネルを蓋として開口部を閉じ、そして前記天面パネルの両端部に残っている外側面パネルの残片を前記内側面パネルの内側に差し込むことにより、外側面パネルの残片が内側面パネルに圧接して抜け止めされ、前記天面パネルを閉じた状態に保つことができ、ケース内へ埃等が入ることを防止することができる。
【００２５】
また、前記のように開封した梱包ケースを再封止を容易に且つ確実に行うことができ、そして開封では前記正面パネルの前記天面パネルに連接された糊付けフラップと接着される接着部が切断片として切り取られるだけであり、開封後のケースの強度の低下は僅かであることから、内容物の取り出し後、蓋付き収容ケースや配送用梱包ケースとして有効に再利用でき、ゴミとしての廃棄を少なくすることができるので省資源化を図ることができるものとなる。
【００２６】
請求項２に記載の梱包ケースによれば、請求項１に記載の、前記正面パネルと内側面パネルを連接する横折れ線上で、前記天面パネルに連接された糊付けフラップと接着される接着部に接する横折れ線上に、ミシン目又はスリットからなる切断部が設けられているので、開封に際し、前記正面パネルから天面パネルに連接された糊付けフラップと接着される接着部を容易に切り取ることができる。
【００２７】
請求項３に記載の梱包ケースによれば、前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、開放側端縁に沿って間欠的に連続した凹部を形成する切り取り用ミシン目又はスリットからなる切断部が設けられ、前記天面パネルに連接された糊付けフラップと接着される前記正面パネルの接着部は、前記切断部によって囲まれた各凹部形成切り取り部上に設けられているので、開封に際し、前記天面パネルの両端部に連接された外側面パネルの非接着部に設けられている切断部を切断することにより外側面パネルを内側面パネルとの接着部から切り離され、そして天面パネルに連接され正面パネルに接着されている糊付けフラップを、その開放側端縁から剥離方向に引き上げることにより、正面パネルに設けられた切断部が切断され切断部で囲まれた各凹部形成切り取り部が正面パネルから切り取られて糊付けフラップと正面パネルとが分離するので前記天面パネルの三方が開放され、天面パネルは背面パネルとの間の縦折れ線をヒンジとして開き、梱包ケースが開封される。
【００２８】
そして前記天面パネルにはその両端部に外側面パネルの残片があり、そして糊付けフラップを連接した端部には前記正面パネルから切り取られた各凹部形成切り取り部が接着している糊付けフラップが残っているので、開封した梱包ケースを再封止する場合、糊付けフラップを正面パネルの開放側端縁に櫛歯状に残っている凸部の内側に差し込むようにして前記天面パネルを蓋として開口部を閉じ、そして前記天面パネルの両端部に残っている外側面パネルの残片を前記内側面パネルの内側に差し込むことにより前記天面パネルを閉じた状態に保つことができ、ケース内へ埃等が入ることを防止することができる。
【００２９】
また、前記のように開封した梱包ケースを再封止を容易に且つ確実に行うことができ、そして開封では前記天面パネルに連接された糊付けフラップと接着される前記正面パネルに設けられた切断部で囲まれた各凹部形成切り取り部が切り取られるだけであり、開封後のケースの強度の低下は僅かであることから、内容物の取り出し後、蓋付き収容ケースや配送用梱包ケースとして有効に再利用でき、ゴミとしての廃棄を少なくすることができるので省資源化を図ることができるものとなる。
【００３０】
開封前の梱包ケースは、凹部を形成する切り取り用ミシン目又はスリットからなる切断部が設けられているが、この切断部は間欠的に設けられており、凹部を形成する各切断部の間に凸部が存在するので、この凸部が前記正面パネルに前記天面パネル側から加わる力に対する支えとなって切断部の曲がりを防ぐことになり、梱包ケースの強度の低下を抑えることから、梱包ケースの段積みも支障無く行うことができる。
【００３１】
請求項４に記載の梱包ケースによれば、請求項３に記載の、前記各凹部形成切り取り部上に設定されている前記正面パネルの接着部は、前記正面パネルの開放側端縁に沿って、前記各凹部形成切り取り部上を横断するように帯状に設けられているので、前記正面パネルと糊付けフラップは強固な接着状態が得られ、梱包ケースの確実な梱包状態を得ることができ、そして開封時は、切断部で囲まれた各凹部形成切り取り部を切り取り、そして間欠的に連続した凹部を形成する切断部の間に存在する凸部と糊付けフラップとの剥離をもって糊付けフラップと正面パネルとを分離するが、剥離は前記凸部と糊付けフラップとの間だけであるので、剥離に要する力は僅かで済み、糊付けフラップと正面パネルとを容易に分離させることができる。
【００３２】
請求項５に記載の梱包ケースによれば、請求項３または４に記載の、前記正面パネルの開放側端縁に沿って設けられた切断部を切断して切断部によって囲まれた各凹部形成切り取り部と、各凹部形成切り取り部間に存在する凸部の幅寸法は、凹部形成切り取り部幅：凸部幅＝２：１．５〜２：０．５であるので、前記凸部と糊付けフラップとの剥離に際し、無理な力を要することなく容易に剥離することができ、そして、開封前の梱包ケースにあって、前記凸部は前記正面パネルに前記天面パネル側から加わる力に対する支えとなる強度を有し、切断部の曲がりを確実に防ぐことができるものとなる。
【００３３】
請求項６に記載の梱包ケースによれば、前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、開放側端縁に沿って間欠的に連続して中抜き部を形成する切り取り用ミシン目又はスリットからなる切断部が設けられ、前記天面パネルに連接された糊付けフラップと接着される前記正面パネルの接着部は、前記切断部によって囲まれた各中抜き部形成切り取り部上に設けられているので、開封に際し、前記天面パネルの両端部に連接された外側面パネルの非接着部に設けられている切断部を切断することにより外側面パネルを内側面パネルとの接着部から切り離され、そして天面パネルに連接され正面パネルに接着されている糊付けフラップを、その開放側端縁から剥離方向に引き上げることにより、正面パネルに設けられた切断部が切断され切断部で囲まれた各中抜き部形成切り取り部が正面パネルから切り取られて糊付けフラップと正面パネルとが分離するので、前記天面パネルの三方が開放され天面パネルは背面パネルとの間の縦折れ線をヒンジとして開き、梱包ケースが開封される。
【００３４】
そして前記天面パネルにはその両端部に外側面パネルの残片があり、そして糊付けフラップを連接した端部には、前記正面パネルから切り取られた各中抜き部形成切り取り部が接着している糊付けフラップが残っているので、開封した梱包ケースを再封止する場合、糊付けフラップを正面パネルの内側に差し込むようにして前記天面パネルを蓋として開口部を閉じ、そして前記天面パネルの両端部に残っている外側面パネルの残片を前記内側面パネルの内側に差し込むことにより、前記天面パネルを閉じた状態に保つことができ、ケース本体内へ埃等が入ることを防止することができる。
【００３５】
また、前記のように、開封した梱包ケースを再封止を容易に且つ確実に行うことができ、そして、開封では、前記天面パネルに連接された糊付けフラップと接着される前記正面パネルに設けられた切断部で囲まれた各中抜き部形成切り取り部が切り取られるだけであり、開放側端縁は一直線上に繋がった状態にあるので中抜き部の存在による開放側端縁の強度への影響が少なく、前記天面パネルを閉じた状態に安定良く保つことができることから、内容物の取り出し後、蓋付き収容ケースや配送用梱包ケースとして有効に再利用でき、また見た目も良く、さらにはゴミとしての廃棄を少なくすることができるので省資源化を図ることができるものとなる。
【００３６】
開封前の梱包ケースは、中抜き部を形成する切り取り用ミシン目又はスリットからなる切断部が設けられているが、前記のように正面パネルの開放側端縁は一直線上に繋がった状態にあるので、中抜き部を形成する切り取り用ミシン目又はスリットからなる切断部の存在による開放側端縁の強度への影響が少なく、梱包ケースの強度の低下を抑えることから、梱包ケースの段積みも支障無く行うことができる。
【００３７】
請求項７に記載の梱包ケースによれば、請求項６に記載の、前記各中抜き部形成切り取り部上に設定されている前記正面パネルの接着部は、前記正面パネルの開放側端縁に沿って、前記各中抜き部形成切り取り部上を横断するように帯状に設けられているので、前記正面パネルと糊付けフラップは強固な接着状態が得られ、梱包ケースの確実な梱包状態を得ることができ、そして開封時は、切断部で囲まれた各中抜き部形成切り取り部を切り取り、そして間欠的に連続した中抜き部を形成する切断部の間に存在する非切り取り部と糊付けフラップとの剥離をもって糊付けフラップと正面パネルとを分離するが、剥離は前記非切り取り部と糊付けフラップとの間だけであるので剥離に要する力は僅かで済み、糊付けフラップと正面パネルとを容易に分離させることができる。
【００３８】
請求項８に記載の梱包ケースによれば、請求項６または７に記載の、前記正面パネルの開放側端縁に沿って設けられた切断部によって囲まれた各中抜き部形成切り取り部と、各中抜き部形成切り取り部間に存在する非切り取り部の幅寸法は、中抜き部形成切り取り部幅：非切り取り部幅＝２：１．５〜２：０．５であるので、前記非切り取り部と糊付けフラップとの剥離に際し、無理な力を要することなく容易に剥離することができ、そして、開封前の梱包ケースにあって、前記非切り取り部は前記正面パネルに前記天面パネル側から加わる力に対する支えとなる強度を有し、切断部の曲がりを確実に防ぐことができるものとなる。
【００３９】
請求項９に記載の梱包ケースによれば、前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また、前記正面パネルには、開放側端縁に沿って間欠的に連続した凹部及び中抜き部を形成する切り取り用ミシン目又はスリットからなる切断部が設けられ、前記天面パネルに連接された糊付けフラップと接着される前記正面パネルの接着部は、前記切断部によって囲まれた各凹部形成切り取り部上及び各中抜き部形成切り取り部上に設けられているので、開封に際し、前記天面パネルの両端部に連接された外側面パネルの非接着部に設けられている切断部を切断することにより外側面パネルを内側面パネルとの接着部から切り離され、そして天面パネルに連接され正面パネルに接着されている糊付けフラップを、その開放側端縁から剥離方向に引き上げることにより、正面パネルに設けられた切断部が切断され切断部で囲まれた各凹部形成切り取り部及び各中抜き部形成切り取り部が正面パネルから切り取られて糊付けフラップと正面パネルとが分離するので、前記天面パネルの三方が開放され、天面パネルは背面パネルとの間の縦折れ線をヒンジとして開き、梱包ケースが開封される。
【００４０】
そして前記天面パネルにはその両端部に外側面パネルの残片があり、そして糊付けフラップを連接した端部には、前記正面パネルから切り取られた各凹部形成切り取り部及び各中抜き部形成切り取り部が接着している糊付けフラップが残っているので、開封した梱包ケースを再封止する場合、糊付けフラップを正面パネルの内側に差し込むようにして前記天面パネルを蓋として開口部を閉じ、そして前記天面パネルの両端部に残っている外側面パネルの残片を前記内側面パネルの内側に差し込むことにより、前記天面パネルを閉じた状態に保つことができ、ケース内へ埃等が入ることを防止することができる。
【００４１】
また、前記のように、開封した梱包ケースを再封止を容易に且つ確実に行うことができ、そして開封では前記天面パネルに連接された糊付けフラップと接着される前記正面パネルに設けられた切断部で囲まれた各凹部形成切り取り部及び各中抜き部形成切り取り部が切り取られるだけであり、開封後のケース本体の強度の低下は僅かであることから、内容物の取り出し後、蓋付き収容ケースや配送用梱包ケースとして有効に再利用でき、ゴミとしての廃棄を少なくすることができるので省資源化を図ることができるものとなる。
【００４２】
開封前の梱包ケースは、凹部及び中抜き部を形成する切り取り用ミシン目又はスリットからなる切断部が設けられているが、この切断部は間欠的に設けられており、この切断部の存在による開放側端縁の強度への影響が少なく、梱包ケースの強度の低下を抑えることから、梱包ケースの段積みも支障無く行うことができる。
【００４３】
請求項１０に記載の梱包ケースによれば、請求項９に記載の、前記各凹部形成切り取り部上及び各中抜き部形成切り取り部上に設けられている前記正面パネルの接着部は、前記正面パネルの開放側端縁に沿って、前記各凹部形成切り取り部上及び各中抜き部形成切り取り部上を横断するように帯状に設けられているので、前記正面パネルと糊付けフラップは強固な接着状態が得られ、梱包ケースの確実な梱包状態を得ることができ、そして、開封時は、切断部で囲まれた各凹部形成切り取り部上及び各中抜き部形成切り取り部を切り取り、そして間欠的に連続した凹部を形成する切断部の間に存在する凸部及び中抜き部を形成する切断部の間に存在する非切り取り部と糊付けフラップとの剥離をもって糊付けフラップと正面パネルとを分離するが、剥離は前記凸部及び非切り取り部と糊付けフラップとの間だけであるので剥離に要する力は僅かで済み、糊付けフラップと正面パネルとを容易に分離させることができる。
【００４４】
請求項１１に記載の梱包ケースによれば、請求項９または１０に記載の、前記正面パネルの開放側端縁に沿って設けられた切断部によって囲まれた凹部形成切り取り部と中抜き部形成切り取り部の幅寸法と凹部形成切り取り部と中抜き部形成切り取り部間に存在する非切り取り部の幅寸法は、凹部形成切り取り部幅：中抜き部形成切り取り部幅：非切り取り部幅＝２：２：１．５〜２：２：０．５であるので、前記非切り取り部と糊付けフラップとの剥離に際し、無理な力を要することなく容易に剥離することができ、そして開封前の梱包ケースにあって、前記非切り取り部は前記正面パネルに前記天面パネル側から加わる力に対する支えとなる強度を有し、切断部の曲がりを確実に防ぐことができるものとなる。
【００４５】
請求項１２に記載の梱包ケースによれば、請求項３，６または９に記載の、前記正面パネルには、開放側端縁の中央位置に中央凹部を形成する切り取り用ミシン目又はスリットからなる切断部が設けられ、前記天面パネルに連接された糊付けフラップと接着される前記正面パネルの接着部は、前記切断部で囲まれた中央凹部形成切り取り部上にも設けられているので、開封に際し、天面パネルに連接され正面パネルに接着されている糊付けフラップを、その開放側端縁から剥離方向に引き上げることにより、正面パネルに設けられた切断部によって囲まれた中央凹部形成切り取り部が切り取られ、前記正面パネルの開放側端縁の中央位置に中央凹部が形成されることから、梱包ケース内に収納されている、例えばカットシートを取り出す場合、正面パネルの開放側端縁の中央位置に形成されている中央凹部から指を差し入れることにより容易に取り出すことができる。
【００４６】
請求項１３に記載の梱包ケースによれば、請求項１〜１２のいずれか１に記載の、前記糊付けフラップは、その先端縁部に所定の幅の非接着部が形成されているので、開封に際し、前記正面パネルにおける前記天面パネルに連接された糊付けフラップと接着される接着部下縁に沿って設けられた切断部の切断は、糊付けフラップの非接着部を摘んで引き上げることにより、容易に切断することができる。
【００４７】
請求項１４に記載の梱包ケースによれば、前記天面パネルの両端部に横折れ線を介して連接された外側面パネルには、少なくとも前記横折れ線との間に非接着部が残るように糊代部が設けられ、該非接着部には前記横折れ線との間に所定の間隔を空けて前記横折れ線に沿って２本のミシン目又はカットテープからなる切断部が設けられ、また前記天面パネルに縦折れ線を介して連接された前記糊付けフラップには、前記横折れ線との間に所定の幅の非接着部が残るように糊代部が設けられ、該非接着部には前記横折れ線との間に所定の間隔を空けて前記横折れ線に沿って２本のミシン目又はカットテープからなる切断部が設けられているので、開封に際し、前記天面パネルの両端部に連接された外側面パネルの非接着部に設けられている切断部を切断することにより外側面パネルが内側面パネルとの接着部から切り離され、前記糊付けフラップの非接着部に設けられている切断部を切断することにより、糊付けフラップが正面パネルとの接着部から切り離されるので、前記天面パネルの三方が開放され、天面パネルは背面パネルとの間の縦折れ線をヒンジとして開き、梱包ケースが開封される。
【００４８】
そして前記天面パネルには、その両端部に外側面パネルの残片があり、そして糊付けフラップを連接した端部には糊付けフラップの残片があるので、開封した梱包ケースを再封止する場合、糊付けフラップの残片を正面パネルの内側に差し込むようにして前記天面パネルを蓋として開口部を閉じ、そして前記天面パネルの両端部に残っている外側面パネルの残片を前記内側面パネルの内側に差し込むことにより、前記天面パネルを閉じた状態に保つことができ、ケース本体内へ埃等が入ることを防止することができ、また内容物の取り出し後、蓋付き収容ケースや配送用梱包ケースとして、有効に再利用でき、ゴミとしての廃棄を少なくすることができるので省資源化を図ることができるものとなる。
【発明を実施するための最良の形態】
【００４９】
以下、本発明に係る梱包ケースを実施するための最良の形態を、図面を参照して詳細に説明する
図１乃至図５は本発明に係る梱包ケースの実施の第１例を示すもので、図１は本例の梱包ケースの展開図、図２は本例の梱包ケースの開封前の状態を示す斜視図、図３は図２に示す梱包ケースの天面パネルを開いた状態で、内容物を省略した状態を示す斜視図、図４は図２に示す梱包ケースを開いた後に再封止した状態の一例を示す斜視図、図５は図２に示す梱包ケースを開いた後に再封止した状態の他例を示す斜視図である。
【００５０】
本例の梱包ケースは、図１に示すように、展開状態において縦折れ線イ、ロ、ハを介して横方向に連接された正面パネル１と底面パネル２と背面パネル３と天面パネル４と、正面パネル１と背面パネル３のそれぞれ縦方向の両端部に横折れ線ニ、ホを介して連接された内側面パネル５、６と、底面パネル２と天面パネル４のそれぞれ縦方向の両端部に横折れ線ヘ、トを介して連接され内側面パネル５、６の外側に重ねられて接着される外側面パネル７、８と、正面パネル１に接着される天面パネル４に縦折れ線チを介して連接された糊付けフラップ９とを有する。
【００５１】
天面パネル４の両端部に横折れ線トを介して連接された外側面パネル８には、横折れ線トとの間に非接着部１０が残るように内側面パネル５、６と接着する糊代部１１が設けられ、この非接着部１０には横折れ線トとの間に所定の間隔を空けて横折れ線トに沿って２本のミシン目又はカットテープからなる切断部１２が設けられている。本例では、切断部１２はカットテープで構成されている。
【００５２】
横折れ線トと切断部１２との間隔は特に限定されるものではないが、少なくとも、切断後に形成される天面パネル４に連接する外側面パネル８の残片８ａが、後述するように梱包ケースを形成したときのケース本体を構成する内側面パネル５、６の開放端の内側に差し込むことのできる幅、或いは内側面パネル５、６の開放端に係止できる程度の寸法となっている。
【００５３】
底面パネル２の両端部に横折れ線ヘを介して連接された外側面パネル７にも、内側面パネル５、６と接着する糊代部１１が設けられている。
【００５４】
また、正面パネル１には、天面パネル４に連接された糊付けフラップ９の糊代部１３と接着される接着部１４の下縁に沿ってミシン目又はスリットからなる切断部１５が設けられている。
【００５５】
また、本例では、正面パネル１と内側面パネル５を連接する横折れ線ニ上で、天面パネル４に連接された糊付けフラップ９と接着される接着部１４に接する横折れ線ニ上に、ミシン目又はスリットからなる切断部１６が設けられている。
【００５６】
また、本例では、糊付けフラップ９は、その先端縁部に所定の幅の非接着部１７が形成されている。この非接着部１７の幅は、開封の際に掴み易く、且つ開封後に再封止する際、天面パネル４を閉じたとき、糊付けフラップ９の非接着部１７が正面パネル１の内側に差し込まれて係止され、天面パネル４が浮き上がらないように仮止めできる程度の寸法となっている。
【００５７】
このような展開構造を有する本例では、縦折れ線イ、ロ、ハ、チから正面パネル１、底面パネル２、背面パネル３、天面パネル４、糊付けフラップ９がそれぞれ谷折りされ、糊付けフラップ９が正面パネル１の開放端側に接着されてケース本体１８が形成される。
【００５８】
この状態で、カットシート等の内容物がケース本体１８に収容されており、次に、横折れ線ニ、ホから内側面パネル５、６が谷折りされ、更に、横折れ線ヘ、トから外側面パネル７、８が谷折りされて内側面パネル５、６の上に重ねられ接着されることにより、開口部が封止され、これによって、カットシート等の内容物Ａが梱包された梱包ケースが完成する（図２）。
【００５９】
このようにして封止された梱包ケースの開封にあっては、先ず、外側面パネル８、８に設けられた切断部１２を構成するカットテープの端部を摘み、外向きに引っ張る。これにより、外側面パネル８、８は切断部１２を設けた位置で切断され、内側面パネル５、６との接着部から切り離される。
【００６０】
次に、正面パネル１に設けられている切断部１５を切断して正面パネル１から糊付けフラップ９の糊代部１３と接着される接着部１４を切り取る。このとき、本例では、正面パネル１と内側面パネル５を連接する横折れ線ニ上で、天面パネル４に連接された糊付けフラップ９と接着される接着部１４に接する横折れ線ニ上に、ミシン目又はスリットからなる切断部１６が設けられているので、正面パネル１から糊付けフラップ９と接着される接着部１４の切り取りを容易に行うことができる。
【００６１】
このとき、本例では、糊付けフラップ９は、その先端縁部に所定の幅の非接着部１７が形成されているので、この非接着部１７を摘んで引き上げることにより、正面パネル１における糊付けフラップ９と接着される接着部１４の下縁に沿って設けられた切断部１５の切断を容易に行うことができる。
【００６２】
このようにして、天面パネル４の三方が開放され、天面パネル４は背面パネル３との間の縦折れ線ハをヒンジとして開いてケース本体１８の開口部が開口し、梱包ケースが開封される（図３）。
【００６３】
開封後、天面パネル４には、その両端部に外側面パネル８の残片８ａがあり、そして糊付けフラップ９を連接した端部には、正面パネルの切断片が接着している糊付けフラップ９が残っているので、このようにして開口したケース本体１８内から必要な数量のカットシート等の内容物を取り出した後、天面パネル４を蓋として開口部を閉じ、そして、天面パネル４の両端部に残っている外側面パネル８の残片８ａを図４に示すように、ケース本体１８を構成している内側面パネル５、６の内側に差し込むことにより、外側面パネル８の残片８ａが内側面パネル５、６に係止され、また、糊付けフラップ９の非接着部１７を正面パネル１の内側に差し込むことにより、非接着部１７が正面パネル１に係止され、天面パネル４を閉じた状態に保つことができ、ケース本体１８内へ埃等が入ることを防止することができ、そして、内容物の取り出し後、蓋付き収容ケースや配送用梱包ケースとして有効に再利用できるものとなる。
【００６４】
また、他の再封止手段として、図５に示すように、天面パネル４の両端部に残っている外側面パネル８の残片８ａをケース本体１８を構成している内側面パネル５、６の外側に出し、そして、糊付けフラップ９を正面パネル１の内側に差し込むようにして天面パネル４を蓋として開口部を閉じることによっても、天面パネル４を閉じた状態で保つことができ、このようにした場合、天面パネル４はケース本体１８内へ落ち込まないので、蓋としての機能を十分に果たし、内容物の取り出し後、蓋付き収容ケースや配送用梱包ケースとして、一層有効に再利用できるものとなる。
【００６５】
図６乃至図１０は本発明に係る梱包ケースの実施の第２例を示すもので、図６は本例の梱包ケースの展開図、図７は図６の正面パネルの開放側端縁に設けられた凹部形成切り取り部と各凹部形成切り取り部の間に存在する凸部の一部を示す拡大図、図８は本例の梱包ケースの開封前の状態を示す斜視図、図９は図８に示す梱包ケースの天面パネルを開いた状態で、内容物を省略した状態を示す斜視図、図１０は図８に示す梱包ケースを開いた後に再封止した状態の一例を示す斜視図である。
【００６６】
本例の梱包ケースは、第１例と同様に、展開状態において縦折れ線イ、ロ、ハを介して横方向に連接された正面パネル１と底面パネル２と背面パネル３と天面パネル４と、正面パネル１と背面パネル３のそれぞれ縦方向の両端部に横折れ線ニ、ホを介して連接された内側面パネル５、６と、底面パネル２と天面パネル４のそれぞれ縦方向の両端部に横折れ線ヘ、トを介して連接され内側面パネル５、６の外側に重ねられて接着される外側面パネル７、８と、正面パネル１に接着される天面パネル４に縦折れ線チを介して連接された糊付けフラップ９とを有する。
【００６７】
天面パネル４の両端部に横折れ線トを介して連接された外側面パネル８には、横折れ線トとの間に非接着部１０が残るように糊代部１１が設けられ、この非接着部１０には横折れ線トとの間に所定の間隔を空けて横折れ線トに沿って２本のミシン目又はカットテープからなる切断部１２が設けられている。本例では、第１例と同様に、切断部１２はカットテープで構成されている。以上の構成にあっては第１例と変わるところはない。
【００６８】
本例では、 正面パネル１に、開放側端縁に沿って間欠的に連続した凹部を形成する切り取り用ミシン目又はスリットからなる切断部２１が設けられ、この切断部２１によって囲まれた部分が凹部形成切り取り部２２となっている。この凹部形成切り取り部２２と、各凹部形成切り取り部２２間に存在する凸部２３の幅寸法は、凹部形成切り取り部幅Ｌ１：凸部幅Ｌ２＝２：１．５〜２：０．５であることが好ましい。
【００６９】
凹部形成切り取り部幅Ｌ１が２に対し凸部幅Ｌ２が１．５以上であると、後述するところの開封前の梱包ケースにあって、正面パネル１に天面パネル４側から加わる力に対する支えとなる凸部２３の強度は大きくなるが、反面、凸部２３と糊付けフラップ９との接着強度が大きくなり凸部２３と糊付けフラップ９との剥離が困難となる。また、凹部形成切り取り部幅Ｌ１が２に対し凸部幅Ｌ２が０．５以下であると、後述するところの開封前の梱包ケースにあって、凸部２３と糊付けフラップ９との接着強度が小さく凸部２３と糊付けフラップ９との剥離が容易となるが、反面、正面パネル１に天面パネル４側から加わる力に対する支えとなる凸部２３の強度は弱くなる。
【００７０】
正面パネル１に天面パネル４側から加わる力に対する支えとなる凸部２３の強度と、凸部２３と糊付けフラップ９との易剥離性を両立させようとしたとき、凹部形成切り取り部幅Ｌ１：凸部幅Ｌ２＝２：１であることが最も好ましい。
【００７１】
また、図示しないが、凹部を形成する切断部２１は、この切断部２１によって囲まれた部分が凹部形成切り取り部２２を切り取ったとき、各凹部形成切り取り部２２間に存在し正面パネル１の開放側端縁に残る凸部２３の先端側の角部が丸みを帯びるように設けられていることが好ましい。凸部２３の先端側の角部が丸みを帯びていると、後述する糊付けフラップ９を正面パネル１の内側に差し込み天面パネル４を閉じる際、凸部２３の先端側の角部が丸みを帯びていると、凸部２３の先端側の角部で手を痛めるといったことを防止できる。
【００７２】
また、天面パネル４に連接された糊付けフラップ９の糊代部１３と接着される正面パネル１の接着部１４（図６において斜線で表示されている部分）は切断部２１によって囲まれた各凹部形成切り取り部２２上に設定されている。本例では、接着部１４は正面パネル４の開放側端縁に沿って、各凹部形成切り取り部２２上を横断するように帯状に設定されている。
【００７３】
また、本例では、第１例と同様に、糊付けフラップ９は、その先端縁部に所定の幅の非接着部１７が形成されている。この非接着部１７の幅は、開封の際に掴み易く、且つ開封後に再封止する際、天面パネル４を閉じたとき、糊付けフラップ９の非接着部１７が正面パネル１の内側に差し込まれて係止され、天面パネル４が浮き上がらないように仮止めできる程度の寸法となっている。
【００７４】
このような展開構造を有する本例では、第１例と同様に、縦折れ線イ、ロ、ハ、チから正面パネル１、底面パネル２、背面パネル３、天面パネル４、糊付けフラップ９がそれぞれ谷折りされ、糊付けフラップ９が正面パネル１の各凹部形成切り取り部２２上を横断するように帯状に設定されている接着部１４に接着されてケース本体１８が形成される。
【００７５】
この状態で、カットシート等の内容物がケース本体１８に収容されており、次に、横折れ線ニ、ホから内側面パネル５、６が谷折りされ、更に、横折れ線ヘ、トから外側面パネル７、８が谷折りされて内側面パネル５、６の上に重ねられ接着されることにより、開口部が封止され、これによって、カットシート等の内容物が梱包された梱包ケースが完成する（図８）。
【００７６】
このようにして封止された梱包ケースの開封にあっては、先ず、外側面パネル８、８に設けられた切断部１２を構成するカットテープの端部を摘み、外向きに引っ張る。これにより、外側面パネル８、８は切断部１２を設けた位置で切断され、内側面パネル５、６との接着部から切り離される。
【００７７】
次に、天面パネル４に連接され正面パネル１に接着されている糊付けフラップ９を、その開放側端縁から剥離方向に引き上げ、正面パネル１に設けられた切断部２１を切断して切断部２１で囲まれた各凹部形成切り取り部２２を正面パネル１から切り取り、同時に、各凹部形成切り取り部２２間に存在する凸部２３と糊付けフラップ９とを剥離させる。
【００７８】
このとき、本例では、凹部形成切り取り部２２と、各凹部形成切り取り部２２間に存在する凸部２３の幅寸法が、凹部形成切り取り部幅Ｌ１：凸部幅Ｌ２＝２：１．５〜２：０．５となっているので、凸部２３と糊付けフラップ９とを、無理な力を要することなく容易に剥離することができる。
【００７９】
そしてまた、本例では、糊付けフラップ９は、その先端縁部に所定の幅の非接着部１７が形成されているので、この非接着部１７を摘んで引き上げることにより、正面パネル１に設けられた切断部２１の切断と、凸部２３と糊付けフラップ９との剥離とを容易に行うことができる。
【００８０】
このようにして、天面パネル４の三方が開放され、天面パネル４は背面パネル３との間の縦折れ線ハをヒンジとして開いてケース本体１８の開口部が開口し、梱包ケースが開封される（図９）。
【００８１】
開封後、天面パネル４には、その両端部に外側面パネル８の残片８ａがあり、そして糊付けフラップ９を連接した端部には、正面パネルの切断片が接着している糊付けフラップ９が残っているので、このようにして開口したケース本体１８内から必要な数量のカットシート等の内容物を取り出した後、天面パネル４を蓋として開口部を閉じ、そして、天面パネル４の両端部に残っている外側面パネル８の残片８ａをケース本体１８を構成している内側面パネル５、６の内側に差し込むことにより、外側面パネル８の残片８ａが内側面パネル５、６に係止し、また、糊付けフラップ９を正面パネル１の内側に差し込むことにより、糊付けフラップ９が正面パネル１に係止して、天面パネル４を閉じた状態に保つことができ、ケース本体１８内へ埃等が入ることを防止することができ、そして、内容物の取り出し後、蓋付き収容ケースや配送用梱包ケースとして有効に再利用できるものとなる。
【００８２】
また、他の再封止手段として、図１０に示すように、天面パネル４の両端部に残っている外側面パネル８の残片８ａをケース本体１８を構成している内側面パネル５、６の外側に出し、そして、糊付けフラップ９を正面パネル１の内側に差し込むようにして天面パネル４を蓋として開口部を閉じることによっても、天面パネル４を閉じた状態で保つことができ、このようにした場合、天面パネル４はケース本体１８内へ落ち込まないので、蓋としての機能を十分に果たし、内容物の取り出し後、蓋付き収容ケースや配送用梱包ケースとして、一層有効に再利用できるものとなる。
【００８３】
また、本例では、凹部形成切り取り部２２と、各凹部形成切り取り部２２間に存在する凸部２３の幅寸法が、凹部形成切り取り部幅Ｌ１：凸部幅Ｌ２＝２：１．５〜２：０．５となっているので、開封前の梱包ケースにあって、凸部２３は正面パネル１に天面パネル４側から加わる力に対する支えとなる強度を有し、切断部の曲がりを確実に防ぐことができる。
【００８４】
図１１、図１２は本発明に係る梱包ケースの実施の第３例を示すもので、図１１は本例の梱包ケースの展開図の一部拡大図、図１２は本例の梱包ケースの天面パネルを開いた状態を示す一部拡大斜視図である。
【００８５】
本例の梱包ケースは、第２例と同様の展開構造を有し、第２例との相違は正面パネル１の開放側端縁の構成だけであり、その他の構成は第２例と同じなので、相違している構成のみを説明し、その他の構成は第２例の説明を援用する。
【００８６】
本例にあっては、第２例の梱包ケースにおける凹部を形成する切り取り用ミシン目又はスリットからなる切断部２１が設けられた正面パネル１の開放側端縁の中央位置に、切断部２１により形成される凹部よりも広幅の中央凹部を形成する切り取り用ミシン目又はスリットからなる切断部２４が設けられ、前記天面パネル１に連接された糊付けフラップ９と接着される前記正面パネルの接着部１４は、前記切断部２４によって囲まれた中央凹部形成切り取り部２５上にも設けられている（図１１）。
【００８７】
このような展開構造を有する本例では、第２例と同様にしてケース本体１８が形成され、開口部が封止されてカットシート等の内容物が梱包された梱包ケースが完成する。
【００８８】
このようにして封止された梱包ケースの開封にあっては、第２例と同様に、先ず、外側面パネル８、８に設けられた切断部１２を構成するカットテープの端部を摘み、外向きに引っ張る。これにより、外側面パネル８、８は切断部１２を設けた位置で切断され、内側面パネル５、６との接着部から切り離される。
【００８９】
次に、天面パネル４に連接され正面パネル１に接着されている糊付けフラップ９を、その開放側端縁から剥離方向に引き上げ、正面パネル１に設けられた切断部２１を切断して切断部２１で囲まれた各凹部形成切り取り部２２及び切断部２４によって囲まれた中央凹部形成切り取り部２５を正面パネル１から切り取り、同時に、各凹部形成切り取り部２２間及び凹部形成切り取り部２２と中央凹部形成切り取り部２５との間に存在する凸部２３と糊付けフラップ９とを剥離させる。
【００９０】
このようにして、天面パネル４の三方が開放され、天面パネル４は背面パネル３との間の縦折れ線ハをヒンジとして開いてケース本体１８の開口部が開口し、梱包ケースが開封される（図１２）。
【００９１】
このようにして開口部が開口したケース本体１８は、その正面パネル１の開放側端縁の中央位置には、切断部２４によって囲まれた中央凹部形成切り取り部２５が切り取られて中央凹部が形成されることから、梱包ケース内に収納されている、例えばカットシートを取り出す場合、正面パネル１の開放側端縁の中央位置に形成されている中央凹部から指を差し入れることにより容易に取り出すことができる。その他の作用効果は第２例と同様なので、第２例の説明を援用する。
【００９２】
図１３乃至図１７は本発明に係る梱包ケースの実施の第４例を示すもので、図１３は本例の梱包ケースの展開図、図１４は図１３の正面パネルの開放側端縁に設けられた中抜き部形成切り取り部と各中抜き部形成切り取り部の間に存在する非切り取り部の一部を示す拡大図、図１５は本例の梱包ケースの開封前の状態を示す斜視図、図１６は図１５に示す梱包ケースの天面パネルを開いた状態で、内容物を省略した状態を示す斜視図、図１７は図１５に示す梱包ケースを開いた後に再封止した状態の一例を示す斜視図である。
【００９３】
本例の梱包ケースは、第１例と同様に、展開状態において縦折れ線イ、ロ、ハを介して横方向に連接された正面パネル１と底面パネル２と背面パネル３と天面パネル４と、正面パネル１と背面パネル３のそれぞれ縦方向の両端部に横折れ線ニ、ホを介して連接された内側面パネル５、６と、底面パネル２と天面パネル４のそれぞれ縦方向の両端部に横折れ線ヘ、トを介して連接され内側面パネル５、６の外側に重ねられて接着される外側面パネル７、８と、正面パネル１に接着される天面パネル４に縦折れ線チを介して連接された糊付けフラップ９とを有する。
【００９４】
天面パネル４の両端部に横折れ線トを介して連接された外側面パネル８には、横折れ線トとの間に非接着部１０が残るように糊代部１１が設けられ、この非接着部１０には横折れ線トとの間に所定の間隔を空けて横折れ線トに沿って２本のミシン目又はカットテープからなる切断部１２が設けられている。本例では、第１例と同様に、切断部１２はカットテープで構成されている。以上の構成にあっては第１例と変わるところはない。
【００９５】
本例では、 正面パネル１に、開放側端縁に沿って間欠的に連続した中抜き部を形成する切り取り用ミシン目又はスリットからなる切断部２６が設けられ、この切断部２６によって囲まれた部分が中抜き部形成切り取り部２７となっている。  本例の中抜き部形成切り取り部２７は矩形状となっているが楕円状であってよい。
【００９６】
この中抜き部形成切り取り部２７と、各中抜き部形成切り取り部２７間に存在する非切り取り部２８の幅寸法は、中抜き部形成切り取り部幅Ｌ３：非切り取り部幅Ｌ４＝２：１．５〜２：０．５であることが好ましい。
【００９７】
中抜き部形成切り取り部幅Ｌ３が２に対し非切り取り部幅Ｌ４が１．５以上であると、後述するところの開封前の梱包ケースにあって、正面パネル１に天面パネル４側から加わる力に対する支えとなる非切り取り部２８の強度は大きくなるが、反面、非切り取り部２８と糊付けフラップ９との接着強度が大きくなり非切り取り部２８と糊付けフラップ９との剥離が困難となる。また、中抜き部形成切り取り部幅Ｌ３が２に対し非切り取り部幅Ｌ４が０．５以下であると、後述するところの開封前の梱包ケースにあって、非切り取り部２８と糊付けフラップ９との接着強度が小さく非切り取り部２８と糊付けフラップ９との剥離が容易となるが、反面、正面パネル１に天面パネル４側から加わる力に対する支えとなる非切り取り部２８の強度は弱くなる。
【００９８】
正面パネル１に天面パネル４側から加わる力に対する支えとなる非切り取り部２８の強度と、非切り取り部２８と糊付けフラップ９との易剥離性を両立させようとしたとき、中抜き部形成切り取り部幅Ｌ３：非切り取り部幅Ｌ４＝２：１であることが最も好ましい。
【００９９】
また、天面パネル４に連接された糊付けフラップ９の糊代部１３と接着される正面パネル１の接着部１４（図１３において斜線で表示されている部分）は切断部２６によって囲まれた各中抜き部形成切り取り部２７上に設定されている。本例では、接着部１４は正面パネル４の開放側端縁に沿って、各中抜き部形成切り取り部２７上を横断するように帯状に設定されている。
【０１００】
また、本例では、第１例と同様に、糊付けフラップ９は、その先端縁部に所定の幅の非接着部１７が形成されている。この非接着部１７の幅は、開封の際に掴み易く、且つ開封後に再封止する際、天面パネル４を閉じたとき、糊付けフラップ９の非接着部１７が正面パネル１の内側に差し込まれて係止され、天面パネル４が浮き上がらないように仮止めできる程度の寸法となっている。
【０１０１】
このような展開構造を有する本例では、第１例と同様に、縦折れ線イ、ロ、ハ、チから正面パネル１、底面パネル２、背面パネル３、天面パネル４、糊付けフラップ９がそれぞれ谷折りされ、糊付けフラップ９が正面パネル１の各中抜き部形成切り取り部２７上を横断するように帯状に設定されている接着部１４に接着されてケース本体１８が形成される。
【０１０２】
この状態で、カットシート等の内容物がケース本体１８に収容されており、次に、横折れ線ニ、ホから内側面パネル５、６が谷折りされ、更に、横折れ線ヘ、トから外側面パネル７、８が谷折りされて内側面パネル５、６の上に重ねられ接着されることにより、開口部が封止され、これによって、カットシート等の内容物が梱包された梱包ケースが完成する（図１５）。
【０１０３】
このようにして封止された梱包ケースの開封にあっては、先ず、外側面パネル８、８に設けられた切断部１２を構成するカットテープの端部を摘み、外向きに引っ張る。これにより、外側面パネル８、８は切断部１２を設けた位置で切断され、内側面パネル５、６との接着部から切り離される。
【０１０４】
次に、天面パネル４に連接され正面パネル１に接着されている糊付けフラップ９を、その開放側端縁から剥離方向に引き上げ、正面パネル１に設けられた切断部２６を切断して切断部２６で囲まれた各中抜き部形成切り取り部２７を正面パネル１から切り取り、同時に、各中抜き部形成切り取り部２７間に存在する非切り取り部２８と糊付けフラップ９とを剥離させる。
【０１０５】
このとき、本例では、中抜き部形成切り取り部２７と、各中抜き部形成切り取り部２７間に存在する非切り取り部２８の幅寸法が、中抜き部形成切り取り部幅Ｌ３：非切り取り部幅Ｌ４＝２：１．５〜２：０．５となっているので、非切り取り部２８と糊付けフラップ９とを、無理な力を要することなく容易に剥離することができる。
【０１０６】
そしてまた、本例では、糊付けフラップ９は、その先端縁部に所定の幅の非接着部１７が形成されているので、この非接着部１７を摘んで引き上げることにより、正面パネル１に設けられた切断部２６の切断と、非切り取り部２８と糊付けフラップ９との剥離とを容易に行うことができる。
【０１０７】
このようにして、天面パネル４の三方が開放され、天面パネル４は背面パネル３との間の縦折れ線ハをヒンジとして開いてケース本体１８の開口部が開口し、梱包ケースが開封される（図１６）。
【０１０８】
開封後、天面パネル４には、その両端部に外側面パネル８の残片８ａがあり、そして糊付けフラップ９を連接した端部には、正面パネルの切断片が接着している糊付けフラップ９が残っているので、このようにして開口したケース本体１８内から必要な数量のカットシート等の内容物を取り出した後、天面パネル４を蓋として開口部を閉じ、そして、天面パネル４の両端部に残っている外側面パネル８の残片８ａをケース本体１８を構成している内側面パネル５、６の内側に差し込むことにより、外側面パネル８の残片８ａが内側面パネル５、６に係止し、また、糊付けフラップ９を正面パネル１の内側に差し込むことにより、糊付けフラップ９が正面パネル１に係止して、天面パネル４を閉じた状態に保つことができ、ケース本体１８内へ埃等が入ることを防止することができ、そして、内容物の取り出し後、蓋付き収容ケースや配送用梱包ケースとして有効に再利用できるものとなる。
【０１０９】
また、他の再封止手段として、図１７に示すように、天面パネル４の両端部に残っている外側面パネル８の残片８ａをケース本体１８を構成している内側面パネル５、６の外側に出し、そして、糊付けフラップ９を正面パネル１の内側に差し込むようにして天面パネル４を蓋として開口部を閉じることによっても、天面パネル４を閉じた状態で保つことができ、このようにした場合、天面パネル４はケース本体１８内へ落ち込まないので、蓋としての機能を十分に果たし、内容物の取り出し後、蓋付き収容ケースや配送用梱包ケースとして、一層有効に再利用できるものとなる。
【０１１０】
そして、開封では天面パネル４に連接された糊付けフラップ９と接着される正面パネル１に設けられた切断部２６で囲まれた各中抜き部形成切り取り部２７が切り取られるだけであり、開放側端縁は一直線上に繋がった状態にあるので中抜き部の存在による開放側端縁の強度への影響が少なく、再封時に天面パネル４を閉じた状態に安定良く保つことができる。
【０１１１】
また、開封前の梱包ケースは、中抜き部を形成する切り取り用ミシン目又はスリットからなる切断部２６が設けられているが、前記のように正面パネル１の開放側端縁は一直線上に繋がった状態にあるので、中抜き部を形成する切り取り用ミシン目又はスリットからなる切断部２６の存在による開放側端縁の強度への影響が少なく、梱包ケースの強度の低下を抑えることから、梱包ケースの段積みも支障無く行うことができる。
【０１１２】
また、本例では、中抜き形成切り取り部２７と、各中抜き形成切り取り部２７間に存在する非切り取り部２８の幅寸法が、中抜き形成切り取り部幅Ｌ３：非切り取り部幅Ｌ４＝２：１．５〜２：０．５となっているので、開封前の梱包ケースにあって、非切り取り部２８は正面パネル１に天面パネル４側から加わる力に対する支えとなる強度を有し、切断部の曲がりを確実に防ぐことができる。
【０１１３】
図１８、図１９は本発明に係る梱包ケースの実施の第５例を示すもので、図１８は本例の梱包ケースの展開図の一部拡大図、図１９は本例の梱包ケースの天面パネルを開いた状態を示す一部拡大斜視図である。
【０１１４】
本例の梱包ケースは、第４例と同様の展開構造を有し、第４例との相違は正面パネル１の開放側端縁の構成だけであり、その他の構成は第４例と同じなので、相違している構成のみを説明し、その他の構成は第４例の説明を援用する。
【０１１５】
本例にあっては、第４例の梱包ケースにおける中抜き部を形成する切り取り用ミシン目又はスリットからなる切断部２６が設けられた正面パネル１の開放側端縁の中央位置に、前記第３例と同様の切断部２６により形成される中抜き部よりも広幅の中央凹部を形成する切り取り用ミシン目又はスリットからなる切断部２４が設けられ、前記天面パネル１に連接された糊付けフラップ９と接着される前記正面パネルの接着部１４は、前記切断部２４によって囲まれた中央凹部形成切り取り部２５上にも設けられている（図１８）。
【０１１６】
このような展開構造を有する本例では、第４例と同様にしてケース本体１８が形成され、開口部が封止されてカットシート等の内容物が梱包された梱包ケースが完成する。
【０１１７】
このようにして封止された梱包ケースの開封にあっては、第４例と同様に、先ず、外側面パネル８、８に設けられた切断部１２を構成するカットテープの端部を摘み、外向きに引っ張る。これにより、外側面パネル８、８は切断部１２を設けた位置で切断され、内側面パネル５、６との接着部から切り離される。
【０１１８】
次に、天面パネル４に連接され正面パネル１に接着されている糊付けフラップ９を、その開放側端縁から剥離方向に引き上げ、正面パネル１に設けられた切断部２６を切断して切断部２６で囲まれた各中抜き部形成切り取り部２７及び切断部２４によって囲まれた中央凹部形成切り取り部２５を正面パネル１から切り取り、同時に、各中抜き部形成切り取り部２７間及び中抜き部形成切り取り部２７と中央凹部形成切り取り部２５との間に存在する非切り取り部２８と糊付けフラップ９とを剥離させる。
【０１１９】
このようにして、天面パネル４の三方が開放され、天面パネル４は背面パネル３との間の縦折れ線ハをヒンジとして開いてケース本体１８の開口部が開口し、梱包ケースが開封される（図１９）。
【０１２０】
このようにして開口部が開口したケース本体１８のは、その正面パネル１の開放側端縁の中央位置には、切断部２４によって囲まれた中央凹部形成切り取り部２５が切り取られて中央凹部が形成されることから、梱包ケース内に収納されている、例えばカットシートを取り出す場合、正面パネル１の開放側端縁の中央位置に形成されている中央凹部から指を差し入れることにより容易に取り出すことができる。その他の作用効果は第４例と同様なので、第４例の説明を援用する。
【０１２１】
図２０乃至図２４は本発明に係る梱包ケースの実施の第６例を示すもので、図２０は本例の梱包ケースの展開図、図２１は図２０の正面パネルの開放側端縁に設けられた凹部形成切り取り部と中抜き部形成切り取り部及び凹部形成切り取り部と中抜き部形成切り取り部の間に存在する非切り取り部の一部を示す拡大図、図２２は本例の梱包ケースの開封前の状態を示す斜視図、図２３は図２２に示す梱包ケースの天面パネルを開いた状態で、内容物を省略した状態を示す斜視図、図２４は図２２に示す梱包ケースを開いた後に再封止した状態の一例を示す斜視図である。
【０１２２】
本例の梱包ケースは、第１例と同様に、展開状態において縦折れ線イ、ロ、ハを介して横方向に連接された正面パネル１と底面パネル２と背面パネル３と天面パネル４と、正面パネル１と背面パネル３のそれぞれ縦方向の両端部に横折れ線ニ、ホを介して連接された内側面パネル５、６と、底面パネル２と天面パネル４のそれぞれ縦方向の両端部に横折れ線ヘ、トを介して連接され内側面パネル５、６の外側に重ねられて接着される外側面パネル７、８と、正面パネル１に接着される天面パネル４に縦折れ線チを介して連接された糊付けフラップ９とを有する。
【０１２３】
天面パネル４の両端部に横折れ線トを介して連接された外側面パネル８には、横折れ線トとの間に非接着部１０が残るように糊代部１１が設けられ、この非接着部１０には横折れ線トとの間に所定の間隔を空けて横折れ線トに沿って２本のミシン目又はカットテープからなる切断部１２が設けられている。本例では、第１例と同様に、切断部１２はカットテープで構成されている。以上の構成にあっては第１例と変わるところはない。
【０１２４】
本例では、 正面パネル１に、開放側端縁に沿って間欠的に連続した凹部を形成する切り取り用ミシン目又はスリットからなる切断部２１及び中抜き部を形成する切り取り用ミシン目又はスリットからなる切断部２６が交互に設けられ、この切断部２１によって囲まれた部分が凹部形成切り取り部２２と、切断部２６によって囲まれた部分が中抜き部形成切り取り部２７となっている。前記中抜き部形成切り取り部２７は矩形状となっているが楕円状であってよい。
【０１２５】
この凹部形成切り取り部２２と中抜き部形成切り取り部２７の幅寸法と凹部形成切り取り部２２と中抜き部形成切り取り部２７間に存在する非切り取り部２８の幅寸法は、凹部形成切り取り部幅Ｌ５：中抜き部形成切り取り部幅Ｌ６：非切り取り部幅Ｌ７＝２：２：１．５〜２：２：０．５であることが好ましい。
【０１２６】
凹部形成切り取り部幅Ｌ５、中抜き部形成切り取り部幅Ｌ６が２に対し非切り取り部幅Ｌ６が１．５以上であると、後述するところの開封前の梱包ケースにあって、正面パネル１に天面パネル４側から加わる力に対する支えとなる非切り取り部２８の強度は大きくなるが、反面、非切り取り部２８と糊付けフラップ９との接着強度が大きくなり非切り取り部２８と糊付けフラップ９との剥離が困難となる。また、凹部形成切り取り部幅Ｌ５、中抜き部形成切り取り部幅Ｌ６が２に対し非切り取り部幅Ｌ６が０．５以下であると、後述するところの開封前の梱包ケースにあって、非切り取り部２８と糊付けフラップ９との接着強度が小さく非切り取り部２８と糊付けフラップ９との剥離が容易となるが、反面、正面パネル１に天面パネル４側から加わる力に対する支えとなる非切り取り部２８の強度は弱くなる。
【０１２７】
正面パネル１に天面パネル４側から加わる力に対する支えとなる非切り取り部２８の強度と、非切り取り部２８と糊付けフラップ９との易剥離性を両立させようとしたとき、凹部形成切り取り部幅Ｌ５：中抜き部形成切り取り部幅Ｌ６：非切り取り部幅Ｌ７＝２：２：１であることが最も好ましい。
【０１２８】
また、天面パネル４に連接された糊付けフラップ９の糊代部１３と接着される正面パネル１の接着部１４（図２０において斜線で表示されている部分）は切断部２１によって囲まれた各凹部形成切り取り部２２及び切断部２６によって囲まれた各中抜き部形成切り取り部２７上に設定されている。本例では、接着部１４は正面パネル４の開放側端縁に沿って、各凹部形成切り取り部２２及び各中抜き部形成切り取り部２７上を横断するように帯状に設定されている。
【０１２９】
また、本例では、第１例と同様に、糊付けフラップ９は、その先端縁部に所定の幅の非接着部１７が形成されている。この非接着部１７の幅は、開封の際に掴み易く、且つ開封後に再封止する際、天面パネル４を閉じたとき、糊付けフラップ９の非接着部１７が正面パネル１の内側に差し込まれて係止され、天面パネル４が浮き上がらないように仮止めできる程度の寸法となっている。
【０１３０】
このような展開構造を有する本例では、第１例と同様に、縦折れ線イ、ロ、ハ、チから正面パネル１、底面パネル２、背面パネル３、天面パネル４、糊付けフラップ９がそれぞれ谷折りされ、糊付けフラップ９が正面パネル１の各中抜き部形成切り取り部２７上を横断するように帯状に設定されている接着部１４に接着されてケース本体１８が形成される。
【０１３１】
この状態で、カットシート等の内容物がケース本体１８に収容されており、次に、横折れ線ニ、ホから内側面パネル５、６が谷折りされ、更に、横折れ線ヘ、トから外側面パネル７、８が谷折りされて内側面パネル５、６の上に重ねられ接着されることにより、開口部が封止され、これによって、カットシート等の内容物が梱包された梱包ケースが完成する（図２２）。
【０１３２】
このようにして封止された梱包ケースの開封にあっては、先ず、外側面パネル８、８に設けられた切断部１２を構成するカットテープの端部を摘み、外向きに引っ張る。これにより、外側面パネル８、８は切断部１２を設けた位置で切断され、内側面パネル５、６との接着部から切り離される。
【０１３３】
次に、天面パネル４に連接され正面パネル１に接着されている糊付けフラップ９を、その開放側端縁から剥離方向に引き上げ、正面パネル１に設けられた切断部２１、２６によって囲まれた各凹部形成切り取り部２２と各中抜き部形成切り取り部２７を正面パネル１から切り取り、同時に、各凹部形成切り取り部２２と各中抜き部形成切り取り部２７との間に存在する非切り取り部２８と糊付けフラップ９とを剥離させる。
【０１３４】
このとき、本例では、凹部形成切り取り部２２と中抜き部形成切り取り部２７の幅寸法と凹部形成切り取り部２２と中抜き部形成切り取り部２７間に存在する非切り取り部２８の幅寸法が、凹部形成切り取り部幅Ｌ５：中抜き部形成切り取り部幅Ｌ６：非切り取り部幅Ｌ７＝２：２：１．５〜２：２：０．５となっているので、非切り取り部２８と糊付けフラップ９とを、無理な力を要することなく容易に剥離することができる。
【０１３５】
そしてまた、本例では、糊付けフラップ９は、その先端縁部に所定の幅の非接着部１７が形成されているので、この非接着部１７を摘んで引き上げることにより、正面パネル１に設けられた切断部２６の切断と、非切り取り部２８と糊付けフラップ９との剥離とを容易に行うことができる。
【０１３６】
このようにして、天面パネル４の三方が開放され、天面パネル４は背面パネル３との間の縦折れ線ハをヒンジとして開いてケース本体１８の開口部が開口し、梱包ケースが開封される（図２３）。
【０１３７】
開封後、天面パネル４には、その両端部に外側面パネル８の残片８ａがあり、そして糊付けフラップ９を連接した端部には、正面パネルの切断片が接着している糊付けフラップ９が残っているので、このようにして開口したケース本体１８内から必要な数量のカットシート等の内容物を取り出した後、天面パネル４を蓋として開口部を閉じ、そして、天面パネル４の両端部に残っている外側面パネル８の残片８ａをケース本体１８を構成している内側面パネル５、６の内側に差し込むことにより、外側面パネル８の残片８ａが内側面パネル５、６に係止し、また、糊付けフラップ９を正面パネル１の内側に差し込むことにより、糊付けフラップ９が正面パネル１に係止して、天面パネル４を閉じた状態に保つことができ、ケース本体１８内へ埃等が入ることを防止することができ、そして、内容物の取り出し後、蓋付き収容ケースや配送用梱包ケースとして有効に再利用できるものとなる。
【０１３８】
また、他の再封止手段として、図２４に示すように、天面パネル４の両端部に残っている外側面パネル８の残片８ａをケース本体１８を構成している内側面パネル５、６の外側に出し、そして、糊付けフラップ９を正面パネル１の内側に差し込むようにして天面パネル４を蓋として開口部を閉じることによっても、天面パネル４を閉じた状態で保つことができ、このようにした場合、天面パネル４はケース本体１８内へ落ち込まないので、蓋としての機能を十分に果たし、内容物の取り出し後、蓋付き収容ケースや配送用梱包ケースとして、一層有効に再利用できるものとなる。
【０１３９】
そして、開封では天面パネル４に連接された糊付けフラップ９と接着される正面パネル１に設けられた切断部２１で囲まれた各凹部形成切り取り部２２と切断部２６で囲まれた各中抜き部形成切り取り部２７が切り取られるだけであり、凹部及び中抜き部の存在による開放側端縁の強度への影響が少なく、再封時に天面パネル４を閉じた状態に安定良く保つことができる。
【０１４０】
また、開封前の梱包ケースは、凹部を形成する切り取り用ミシン目又はスリットからなる切断部２１及び中抜き部を形成する切り取り用ミシン目又はスリットからなる切断部２６が設けられているが、切断部２１，２６の存在による開放側端縁の強度への影響が少なく、梱包ケースの強度の低下を抑えることから、梱包ケースの段積みも支障無く行うことができる。
【０１４１】
また、本例では、凹部形成切り取り部２２と中抜き部形成切り取り部２７の幅寸法と凹部形成切り取り部２２と中抜き部形成切り取り部２７間に存在する非切り取り部２８の幅寸法が、凹部形成切り取り部幅Ｌ５：中抜き部形成切り取り部幅Ｌ６：非切り取り部幅Ｌ７＝２：２：１．５〜２：２：０．５となっているので、開封前の梱包ケースにあって、非切り取り部２８は正面パネル１に天面パネル４側から加わる力に対する支えとなる強度を有し、切断部の曲がりを確実に防ぐことができる。
【０１４２】
図２５、図２６は本発明に係る梱包ケースの実施の第７例を示すもので、図２５は本例の梱包ケースの展開図の一部拡大図、図２６は本例の梱包ケースの天面パネルを開いた状態を示す一部拡大斜視図である。
【０１４３】
本例の梱包ケースは、第６例と同様の展開構造を有し、第６例との相違は正面パネル１の開放側端縁の構成だけであり、その他の構成は第６例と同じなので、相違している構成のみを説明し、その他の構成は第６例の説明を援用する。
【０１４４】
本例にあっては、第６例の梱包ケースにおける凹部を形成する切り取り用ミシン目又はスリットからなる切断部２１及び中抜き部を形成する切り取り用ミシン目又はスリットからなる切断部２６が交互に設けられた正面パネル１の開放側端縁の中央位置に、前記第３例と同様の切断部２１，２６により形成される凹部や中抜き部よりも広幅の中央凹部を形成する切り取り用ミシン目又はスリットからなる切断部２４が設けられ、前記天面パネル１に連接された糊付けフラップ９と接着される前記正面パネルの接着部１４は、前記切断部２４によって囲まれた中央凹部形成切り取り部２５上にも設けられている（図２５）。
【０１４５】
このような展開構造を有する本例では、第６例と同様にしてケース本体１８が形成され、開口部が封止されてカットシート等の内容物が梱包された梱包ケースが完成する。
【０１４６】
このようにして封止された梱包ケースの開封にあっては、第６例と同様に、先ず、外側面パネル８、８に設けられた切断部１２を構成するカットテープの端部を摘み、外向きに引っ張る。これにより、外側面パネル８、８は切断部１２を設けた位置で切断され、内側面パネル５、６との接着部から切り離される。
【０１４７】
次に、天面パネル４に連接され正面パネル１に接着されている糊付けフラップ９を、その開放側端縁から剥離方向に引き上げ、正面パネル１に設けられた切断部２１，２６を切断して切断部２１，２６で囲まれた各凹部形成切り取り部２２、各中抜き部形成切り取り部２７及び切断部２４によって囲まれた中央凹部形成切り取り部２５を正面パネル１から切り取り、同時に、各凹部形成切り取り部２２、各中抜き部形成切り取り部２７及び中央凹部形成切り取り部２５との間に存在する非切り取り部２８と糊付けフラップ９とを剥離させる。
【０１４８】
このようにして、天面パネル４の三方が開放され、天面パネル４は背面パネル３との間の縦折れ線ハをヒンジとして開いてケース本体１８の開口部が開口し、梱包ケースが開封される（図２６）。
【０１４９】
このようにして開口部が開口したケース本体１８は、その正面パネル１の開放側端縁の中央位置には、切断部２４によって囲まれた中央凹部形成切り取り部２５が切り取られて中央凹部が形成されることから、梱包ケース内に収納されている、例えばカットシートを取り出す場合、正面パネル１の開放側端縁の中央位置に形成されている中央凹部から指を差し入れることにより容易に取り出すことができる。その他の作用効果は第６例と同様なので、第６例の説明を援用する。
【０１５０】
図２７乃至図３０は本発明に係る梱包ケースの実施の第８例を示すもので、図２７は本例の梱包ケースの展開図、図２８は本例の梱包ケースの開封前の状態を示す斜視図、図２９は図２８に示す梱包ケースの天面パネルを開いた状態で、内容物を省略した状態を示す斜視図、図３０は図２８に示す梱包ケースを開いた後に再封止した状態の一例を示す斜視図である。
【０１５１】
本例の梱包ケースは、第１例と同様に、展開状態において縦折れ線イ、ロ、ハを介して横方向に連接された正面パネル１と底面パネル２と背面パネル３と天面パネル４と、正面パネル１と背面パネル３のそれぞれ縦方向の両端部に横折れ線ニ、ホを介して連接された内側面パネル５、６と、底面パネル２と天面パネル４のそれぞれ縦方向の両端部に横折れ線ヘ、トを介して連接され内側面パネル５、６の外側に重ねられて接着される外側面パネル７、８と、正面パネル１に接着される天面パネル４に縦折れ線チを介して連接された糊付けフラップ９とを有する。
【０１５２】
天面パネル４の両端部に横折れ線トを介して連接された外側面パネル８には、横折れ線トとの間に非接着部１０が残るように糊代部１１が設けられ、この非接着部１０には横折れ線トとの間に所定の間隔を空けて横折れ線トに沿って２本のミシン目又はカットテープからなる切断部１２が設けられている。本例では、第１例と同様に、切断部１２はカットテープで構成されている。以上の構成にあっては第１例と変わるところはない。
【０１５３】
本例では、天面パネル４に連接された糊付けフラップ９に、横折れ線チとの間に所定の幅の非接着部１９が残るように糊代部１３が設けられ、この非接着部１９には横折れ線チとの間に所定の間隔を空けて横折れ線チに沿って２本のミシン目又はカットテープからなる切断部２０が設けられている。本例では、切断部２０はカットテープで構成されている。
【０１５４】
横折れ線チと切断部２０との間隔は特に限定されるものではないが、少なくとも、切断後に形成される糊付けフラップ９の残片９ａが、開封後に再封止する際、天面パネル４を閉じたとき、糊付けフラップ９の非接着部１９が正面パネル１の内側に差し込まれて係止し、天面パネル４が浮き上がらないように仮止めできる程度の寸法となっている。
【０１５５】
このような展開構造を有する本例では、第１例と同様に、縦折れ線イ、ロ、ハ、チから正面パネル１、底面パネル２、背面パネル３、天面パネル４、糊付けフラップ９がそれぞれ谷折りされ、糊付けフラップ９が正面パネル１の開放端側に接着されてケース本体１８が形成される。
【０１５６】
この状態で、カットシート等の内容物がケース本体１８に収容されており、次に、横折れ線ニ、ホから内側面パネル５、６が谷折りされ、更に、横折れ線ヘ、トから外側面パネル７、８が谷折りされて内側面パネル５、６の上に重ねられ接着されることにより、開口部が封止され、これによって、カットシート等の内容物Ａが梱包された梱包ケースが完成する（図２８）。
【０１５７】
このようにして封止された梱包ケースの開封にあっては、外側面パネル８、８に設けられた切断部１２を構成するカットテープの端部を摘み、外向きに引っ張る。これにより、外側面パネル８、８は切断部１２を設けた位置で切断され、内側面パネル５、６との接着部から切り離される。
【０１５８】
また、糊付けフラップ９に設けられた切断部２０を構成するカットテープの端部を摘み、外向きに引っ張る。これにより、糊付けフラップ９は切断部２０を設けた位置で切断され、正面パネル１との接着部から切断される。
【０１５９】
このようにして、天面パネル４の三方が開放され、天面パネル４は背面パネル３との間の縦折れ線ハをヒンジとして開いてケース本体１８の開口部が開口し、梱包ケースが開封される（図２９）。
【０１６０】
開封後、天面パネル４には、その両端部に外側面パネル８の残片８ａがあり、そして糊付けフラップ９を連接した端部には、糊付けフラップ９の残片９ａがあるので、開口したケース本体１８内から必要な数量のカットシート等の内容物Ａを取り出した後、天面パネル４を蓋として開口部を閉じ、そして、天面パネル４の両端部に残っている外側面パネル８の残片８ａをケース本体１８を構成している内側面パネル５、６の内側に差し込むとともに、糊付けフラップ９の残片９ａを正面パネル１の内側に差し込むことにより（図示せず）、天面パネル４を閉じた状態に保つことができ、ケース本体１８内へ埃等が入ることを防止することができ、そして、内容物Ａの取り出し後、蓋付き収容ケースや配送用梱包ケースとして有効に再利用できるものとなる。
【０１６１】
また、他の再封止手段として、図３０に示すように、天面パネル４の両端部に残っている外側面パネル８の残片８ａをケース本体１８を構成している内側面パネル５、６の外側に出し、そして、糊付けフラップ９の残片９ａを正面パネル１の内側に差し込むようにして天面パネル４を蓋として開口部を閉じることによっても、天面パネル４を閉じた状態で保つことができ、このようにした場合、第１例と同様に、天面パネル４はケース本体１８内へ落ち込まないので、蓋としての機能を十分に果たし、内容物の取り出し後、蓋付き収容ケースや配送用梱包ケースとして、一層有効に再利用できるものとなる。
【図面の簡単な説明】
【０１６２】
【図１】本発明に係る梱包ケースの実施の形態の第１例を示す展開図。
【図２】第１例の梱包ケースの開封前の状態を示す斜視図。
【図３】図２に示す梱包ケースの天面パネルを開いた状態で、内容物を省略した状態を示す斜視図。
【図４】図２に示す梱包ケースを開いた後に再封止した状態の一例を示す斜視図。
【図５】図２に示す梱包ケースを開いた後に再封止した状態の他例を示す斜視図。
【図６】本発明に係る梱包ケースの実施の形態の第２例を示す展開図。
【図７】図６の正面パネルの開放側端縁に設けられた凹部形成切り取り部と各凹部形成切り取り部の間に存在する凸部の一部を示す拡大図。
【図８】第２例の梱包ケースの開封前の状態を示す斜視図。
【図９】図８に示す梱包ケースの天面パネルを開いた状態で、内容物を省略した状態を示す斜視図。
【図１０】図８に示す梱包ケースを開いた後に再封止した状態の一例を示す斜視図。
【図１１】本発明に係る梱包ケースの実施の形態の第３例を示す展開図の一部拡大図。
【図１２】第３例の梱包ケースの天面パネルを開いた状態を示す一部拡大斜視図。
【図１３】本発明に係る梱包ケースの実施の形態の第４例を示す展開図。
【図１４】図１３の正面パネルの開放側端縁に設けられた中抜き部形成切り取り部と各中抜き部形成切り取り部の間に存在する非切り取り部の一部を示す拡大図。
【図１５】第４例の梱包ケースの開封前の状態を示す斜視図。
【図１６】図１５に示す梱包ケースの天面パネルを開いた状態で、内容物を省略した状態を示す斜視図。
【図１７】図１５に示す梱包ケースを開いた後に再封止した状態の一例を示す斜視図。
【図１８】本発明に係る梱包ケースの実施の形態の第５例を示す展開図の一部拡大図。
【図１９】第５例の梱包ケースの天面パネルを開いた状態を示す一部拡大斜視図。
【図２０】本発明に係る梱包ケースの実施の形態の第６例を示す展開図。
【図２１】図２０の正面パネルの開放側端縁に設けられた凹部形成切り取り部と中抜き部形成切り取り部及び凹部形成切り取り部と中抜き部形成切り取り部の間に存在する非切り取り部の一部を示す拡大図。
【図２２】第６例の梱包ケースの開封前の状態を示す斜視図。
【図２３】図２２に示す梱包ケースの天面パネルを開いた状態で、内容物を省略した状態を示す斜視図。
【図２４】図２２に示す梱包ケースを開いた後に再封止した状態の一例を示す斜視図。
【図２５】本発明に係る梱包ケースの実施の形態の第７例を示す展開図の一部拡大図。
【図２６】第７例の梱包ケースの天面パネルを開いた状態を示す一部拡大斜視図。
【図２７】本発明に係る梱包ケースの実施の形態の第８例を示す展開図。
【図２８】第８例の梱包ケースの開封前の状態を示す斜視図。
【図２９】図２８に示す梱包ケースの天面パネルを開いた状態で、内容物を省略した状態を示す斜視図。
【図３０】図２８に示す梱包ケースを開いた後に再封止した状態の一例を示す斜視図。
【符号の説明】
【０１６３】
１  正面パネル
２  底面パネル
３  背面パネル
４  天面パネル
５、６  内側面パネル
７、８  外側面パネル
８ａ  外側面パネルの残片
９  糊付けフラップ
９ａ  糊付けフラップの残片
１０  非接着部
１１  糊代部
１２  切断部
１３  糊代部
１４  接着部
１５、１６  切断部
１７  非接着部
１８  ケース本体
１９  非接着部
２０  切断部
２１  切断部
２２  凹部形成切り取り部
２３  凸部
２４  切断部
２５  中央凹部形成切り取り部
２６  切断部
２７  中抜き部形成切り取り部
２８  非切り取り部
イ、ロ、ハ、チ  縦折れ線
ニ、ホ、ヘ、ト  横折れ線
【図１】
2009083931.tif 000003
【図２】
2009083931.tif 000004
【図３】
2009083931.tif 000005
【図４】
2009083931.tif 000006
【図５】
2009083931.tif 000007
【図６】
2009083931.tif 000008
【図７】
2009083931.tif 000009
【図８】
2009083931.tif 000010
【図９】
2009083931.tif 000011
【図１０】
2009083931.tif 000012
【図１１】
2009083931.tif 000013
【図１２】
2009083931.tif 000014
【図１３】
2009083931.tif 000015
【図１４】
2009083931.tif 000016
【図１５】
2009083931.tif 000017
【図１６】
2009083931.tif 000018
【図１７】
2009083931.tif 000019
【図１８】
2009083931.tif 000020
【図１９】
2009083931.tif 000021
【図２０】
2009083931.tif 000022
【図２１】
2009083931.tif 000023
【図２２】
2009083931.tif 000024
【図２３】
2009083931.tif 000025
【図２４】
2009083931.tif 000026
【図２５】
2009083931.tif 000027
【図２６】
2009083931.tif 000028
【図２７】
2009083931.tif 000029
【図２８】
2009083931.tif 000030
【図２９】
2009083931.tif 000031
【図３０】
2009083931.tif 000032